(57)【要約】【課題】簡易な構造で廉価な、点滴液残量監視装置を提供する。【解決手段】点滴スタンドＳに着脱自在に組付く把持具４０を併設した透明または半透明の収納箱１１内に、水平支軸１２で天秤状に支持した天秤杆１３の先端部に収納箱１１を上下方向に貫くフック部１３ａ上端部を連結し，該フック部１３ａに点滴バッグＢを吊下げ、点滴バッグＢ内の点滴液の残量が一定量に達したときに下降した天秤杆１３に絶縁体を配して固着した当具１３ｃが当接することによって作動する検出スイッチ１４を設け、検出スイッチ１４の作動により、収納箱１１内に設けた発音器１５による警報または発光灯１６による点灯あるいはその両方によって点滴液の残量が僅かであることを報知する装置本体１０を設ける。【選択図】      図１
2004350857.tif 000002
【特許請求の範囲】
【請求項１】
点滴バッグ（Ｂ）内の点滴液の残量を監視する装置であって、
点滴スタンド（Ｓ）に着脱自在に組付く把持具（４０）を併設した透明または半透明の収納箱（１１）内に，水平支軸（１２）で天秤状に支持した天秤杆（１３）の先端部に収納箱（１１）を上下方向に貫くフック部（１３ａ）上端部を連結し，該フック部（１３ａ）に点滴バッグを吊下げ，点滴バッグ内の点滴液の残量が一定量に達したときに下降した前記天秤杆に絶縁体を配して固着した当具（１３ｃ）が当接することによって作動する検出スイッチ（１４）を設け、前記検出スイッチの作動により，前記収納箱内に設けた発音器（１５）による警報または発光灯（１６）による点灯あるいはその両方によって点滴液の残量が僅かであることを報知する装置本体（１０）を備えてなる点滴液残量監視装置。
【請求項２】
点滴バッグＢ内の点滴液の残量を監視する装置であって、点滴スタンド（Ｓ）に着脱自在に組付く把持具（４０）を併設した透明または半透明の収納箱（１１）内に，水平支軸（１２）で天秤状に支持した天秤杆（１３）の先端部に収納箱（１１）を上下方向に貫くフック部（１３ａ）上端部を連結し，該フック部（１３ａ）に点滴バッグを吊下げ，点滴バッグ内の点滴液の残量が一定量に達したときに下降した前記天秤杆に絶縁体を配して固着した当具（１３ｃ）が当接することによって作動する検出スイッチ（１４）を設け、前記検出スイッチの作動により，前記収納箱内に設けた発音器（１５）による警報または発光灯（１６）による点灯あるいはその両方によって点滴液の残量が僅かであることを報知する装置本体（１０）を備え、かつ，前記装置本体の収納箱内に，前記検出スイッチの作動により，信号を発信する電波発信器（１７）を設け、さらに，前記装置本体とは別個の携帯ボックス（３１）内に，前記信号を受けて振動する振動器（３２），警報を発する発音器または点灯する発光灯を収納し，それらによって点滴液の残量が僅かであることを報知する携帯報知器（３０）としてなる点滴液残量監視装置。
【請求項３】
請求項１または２に記載の点滴液残量監視装置と共に，またはそれとは別個に点滴チューブ（Ｔ）の緊張状態を回避するために使用する保持具であって、
基端部に，点滴スタンド（Ｓ）を狭持して着脱自在に組付く挟持クリップ（５１）を備え，前端部に，略Ｅ字状で，その三本の掛止片（５２ａ）によって点滴チューブを不動に挟持するＥクリップ（５２）を設けてなる点滴チューブ保持具。
【発明の詳細な説明】
【０００１】
【発明の属する技術分野】本発明は、点滴液の残量が一定に達したことを正確に知らせることのできる点滴液残量監視装置に関するものである。
【０００２】
【従来の技術】近年、医療のモニタ技術は大きな進歩を遂げている。しかし、点滴液の残量を監視するモニタ機器は依然として普及していないのが現状である。点滴液を精密に注入する機器（輸液ポンプ）には、所定量の点滴液を注入し終えた時点で、それを報知するシステムが備わっているものの、きわめて高価であるため、一般の点滴において、点滴液の残量を監視する目的で使用するのは現実的ではない。こうした事情から、現在でも点滴は患者、介護者または看護師らの目視に頼ってその点滴液の残量を監視している。
【０００３】
【発明が解決しようとする課題】しかし、点滴液の残量が少なくなると、頻繁に監視する必要があるため、特に体調の悪い患者が自身で監視する必要がある場合には、その患者に大きなストレスが加わる。また、痴呆を有する患者や目の不自由な患者の場合には、患者自身が監視することができないので、介護者あるいは看護師に大きな負担を掛けることになる。
【０００４】
点滴液の残量の監視が不十分なために、点滴液がなくなったままの状態を放置しておくと、点滴チューブ内に空気が入り込み、看護師による点滴交換作業がきわめて厄介となる。また、継続して点滴を行う場合には、凝血によりその継続ができなくなるため、点滴針を刺しなおす必要が生じ、患者の精神的および肉体的負担がさらに増加する。
【０００５】
本発明はこうした問題に鑑み創案されたもので、簡易な構造で廉価な、点滴液残量監視装置を提供することを課題とする。
【０００６】
【課題を解決するための手段】図１乃至図８を参照して説明する。第一の発明に係る点滴液残量監視装置１は、点滴バッグＢ内の点滴液の残量を監視する装置であって、点滴スタンドＳに着脱自在に組付く把持具４０を併設した透明または半透明の収納箱１１内に、水平支軸１２で天秤状に支持した天秤杆１３の先端部に収納箱１１を上下方向に貫くフック部１３ａ上端部を連結し，該フック部１３ａに点滴バッグＢを吊下げ、点滴バッグＢ内の点滴液の残量が一定量に達したときに下降した前記天秤杆１３に絶縁体を配して固着した当具１３ｃが当接することによって作動する検出スイッチ１４を設け、前記検出スイッチ１４の作動により、前記収納箱１１内に設けた発音器１５による警報または発光灯１６による点灯あるいはその両方によって点滴液の残量が僅かであることを報知する装置本体１０を備えてなるものである。
【０００７】
第二の発明に係る点滴液残量監視装置１は、点滴バッグＢ内の点滴液の残量を監視する装置であって、点滴スタンドＳに着脱自在に組付く把持具４０を併設した透明または半透明の収納箱１１内に、水平支軸１２で天秤状に支持した天秤杆１３の先端部に収納箱１１を上下方向に貫くフック部１３ａ上端部を連結し，該フック部１３ａに点滴バッグＢを吊下げ、点滴バッグＢ内の点滴液の残量が一定量に達したときに下降した前記天秤杆１３に絶縁体を配して固着した当具１３ｃが当接することによって作動する検出スイッチ１４を設け、前記検出スイッチ１４の作動により、前記収納箱１１内に設けた発音器１５による警報または発光灯１６による点灯あるいはその両方によって点滴液の残量が僅かであることを報知する装置本体１０を備え、かつ、前記装置本体１０の収納箱１１内に、前記検出スイッチ１４の作動により、信号を発信する電波発信器１７を設け、さらに、前記装置本体１０とは別個の携帯ボックス３１内に、前記信号を受けて振動する振動器３２、警報を発する発音器または点灯する発光灯を収納し、それらによって点滴液の残量が僅かであることを報知する携帯報知器３０としてなるものである。
【０００８】
第三の発明に係る点滴チューブ保持具５０は、第一または第二の発明に係る点滴液残量監視装置１と共に、またはそれとは別個に点滴チューブＴの緊張状態を回避するために使用する保持具であって、基端部に、点滴スタンドＳを狭持して着脱自在に組付く挟持クリップ５１を備え、前端部に、略Ｅ字状で、その三本の掛止片５２ａによって点滴チューブＴを不動に挟持するＥクリップ５２を設けてなるものである。
【０００９】
【発明の実施の形態】本発明に係る点滴液残量監視装置１の実施形態を、図１乃至図８に示す。この装置は、点滴スタンドＳに点滴バッグＢを掛止して患者に点滴を行う際に、その点滴バッグＢ内の点滴液の残量を監視する装置であり、把持具４０、装置本体１０および携帯報知器３０とで構成される。
【００１０】
把持具４０は装置本体１０の側部に一体的に設けられ、ネジ棒４１を回転させることによって、当該ネジ棒４１と支持部４２との間に点滴スタンドＳを挟んで着脱自在に組付く。
【００１１】
装置本体１０は、直方体形状で透明の収納箱１１内に、そのほぼ中間部分を水平支軸１２で天秤状に支持した天秤杆１３の先端部に収納箱１１を上下方向に貫くフック部１３ａ上端部を連結し，該フック部１３ａに点滴バッグＢを吊下げるフック部１３ａを形成している。この天秤杆１３の基端部には、点滴液の重量に対応した重錘１８を載せる重錘載置部１３ｂを設けている。また、この収納箱１１には、点滴バッグＢ内の点滴液の残量が一定量に達したときに下降した天秤杆１３に絶縁体を配して固着した当具１３ｃが当接することによって作動する検出スイッチ１４を備えている。
【００１２】
さらに、検出スイッチ１４の作動により、警報を発する発音器１５、点灯する発光灯１６、および信号を発信する電波発信器１７を設けている。電波発信器１７からの信号は、送信アンテナ１７ａを介して発信する。また、収納箱１１の前壁にはメインスイッチ１９、音スイッチ１９ａ、灯火スイッチ１９ｂおよび遠隔用スイッチ１９ｃを設けている。なお、収納箱１１には複数の透孔１１ａを形成し、発音器１５の音を良好に察知することができるようにしている。
【００１３】
この収納箱１１は蝶番軸２１を介して開閉自在な蓋２０を有する。収納箱１１は透明であるため、発光灯１６を外から容易に視覚することができる。
【００１４】
収納箱１１には電池２３も収納している。そして、電池２３とメインスイッチ１９と検出スイッチ１４とからなる直列回路中に、音スイッチ１９ａと発音器１５とからなる直列第一回路と、灯光スイッチと発光灯１６と点滅回路２２発光灯１６とからなる第二回路と、リモコンスイッチ１９ｃと電波発信器１７とからなる直列第三回路とを並列に挿入している（図４参照）。
【００１５】
携帯報知器３０は、装置本体１０とは別個に形成され、患者以外の看護師（または介護者）が携帯するものであり、携帯ボックス３１内に、電波発信器１７からの信号を受けて振動する振動器３２を収納している。また、この携帯ボックス３１内には、主スイッチ３３とバッテリー３４と振動器３２とでなる閉回路を設置し、さらに、受信器３５を設けている。なお、当該携帯ボックス３１内に、振動器３２に代えて、あるいは振動器３２と共に、装置本体１０に設けたような発音器や発光灯を設け、音や振動によって報知させるようにすることもできる。
【００１６】
この点滴液残量監視装置１の作用について説明する。当該監視装置１は、輸液ポンプに備わっている報知システムとは異なり、その構造が簡易であるので、小型化を図り、製造コストおよび提供価格を廉価に抑えることができる。
【００１７】
また、この監視装置１においては、点滴液の残量が一定量に達したときの報知を、音、光、および振動で行うことができる。従って、報知をその全てで行いたい場合には、メインスイッチ１９と共に、音スイッチ１９ａ、灯火スイッチ１９ｂおよびリモコンスイッチ１９ｃをオンにしておく。
【００１８】
点滴を行い、点滴バッグＢ内の点滴液の残量が減少するに従い、天秤杆１３の基端部が重錘１８の重量によって下降し、一定量に達したところで当具１３ｃが検出スイッチ１４に接触する。そして、この検出スイッチ１４からの信号によって発音器１５から音が発生すると共に、発火灯が点滅する。同時に、電波発信器１７から信号が発信され、その信号を受けた携帯ボックス３１内の振動器３２が振動する。こうした各種の報知によって、患者、介護者あるいは看護師に点滴液の残量が僅かであることを正確に報知する。
【００１９】
なお、報知は、音のみ、光のみ、あるいは振動のみ、さらにはそれらの適宜な組合わせで行うことができる。また、音は、ブザーの他にメロディーにすることもできる。
【００２０】
また、本実施形態においては、点滴スタンドＳに、点滴液残量監視装置１と共に、点滴チューブ保持具５０を取付けている。この点滴チューブ保持具５０は、点滴チューブＴが引っ張られて緊張状態になるのを回避するために使用するものであり、基端部に、点滴スタンドＳを狭持して着脱自在に組付く挟持クリップ５１を備え、前端部に、略Ｅ字状で、三本の掛止片５２ａによって点滴チューブＴを不動に挟持するＥクリップ５２を設けて構成されている。この点滴チューブ保持具５０は、大型の挟持力クリップで点滴スタンドＳに容易に着脱することができ、Ｅクリップ５２の三本の掛止片５２ａ間に点滴チューブＴを通して固定することができる。
【００２１】
本発明に係る点滴液残量監視装置（天秤式）１を始めとする重量センサ（バネ式、ロードセル、ストレインゲージなど）は、点滴液の減少を重量変化としてとらえるわけであるが、何らかの理由で輸液セットＹ（点滴バッグＢの下端に接続した水溜め即ち点滴監視筒Ｋとそれに接続される点滴チューブＴの上端部分）が引っ張られると、重量変化を正確にとらえることできず、誤作動の原因となり易い。こうした弊害を防止するために、点滴チューブ保持具５０を設け、輸液セットＹが引っ張られても点滴チューブＴの上端部が適度にたるみ、その張力が直接天秤杆１３に作用しないようにして、点滴液残量監視装置１が誤作動しないようにすることができる。
【００２２】
本発明に係る天秤式の重量センサを用いた装置は、他の重量センサに比べて垂直方向の振動等のノイズに対して比較的誤作動し難いが、この点滴チューブ保持具５０を用いることによって患者側からの輸液セットＹの張力や振動が天秤杆１３にさらに伝わり難くなり、誤動作を確実に解消することができる。
【００２３】
なお、本発明に係る点滴液残量監視装置１のフック部１３ａに掛止する点滴バッグＢには、１００ミリリットル、２００ミリリットル、５００ミリリットル、１０００ミリリットルのものが多いが、それらに応じた複数の重錘１８を用意し、各点滴バッグＢの重量に対応する重錘１８を天秤杆１３の重錘載置部１３ｂに載せて取付ける。なお、天秤杆１３に取付ける重量は一定にして、点滴バック側が収納箱外のフック部１３ａに複数の重錘を用意することもある。
【００２４】
また、多量の点滴液を注入する場合には、点滴バッグＢを交換するが、当該点滴バッグＢはフック部１３ａに掛止して保持するので交換作業を容易に行うことができる。なお、点滴バッグＢの下端部には挿入口が形成されており、点滴監視筒Ｋの上端部の挿入針Ｎをこの挿入口に突き刺して、輸液セットＹを点滴バッグＢに接続する。
【００２５】
【発明の効果】請求項１に記載の発明に係る点滴液残量監視装置１は、その構造が簡易であるため、小型化を図り、製造コストおよび提供価格を廉価に抑えることができる。
【００２６】
また、点滴液の残量が僅かになった際に、音または光、あるいはその両方によって患者、介護者あるいは看護師に報知することができるので、患者等の目視による監視負担を軽減することができると共に、凝血による点滴針の刺し直しといった患者の精神的および肉体的な負担をなくすことができる。
【００２７】
請求項２に記載の発明に係る点滴液残量監視装置１は、音と光に加えて、振動によって患者から離れた場所にいる看護師等に報知するので、患者等による目視の監視負担をさらに軽減することができる。
【００２８】
請求項３に記載の発明に係る点滴チューブ保持具５０は、輸液セットＹの張力や振動が天秤杆１３に伝わるのを防止することができるので、請求項１または２に記載の発明に係る点滴液残量監視装置１の誤作動を確実に防止することができる。
【図面の簡単な説明】
【図１】本発明に係る点滴液残量監視装置の実施形態を示す一部透視平面図である。
【図２】図１に示す監視装置の一部透視正面図である。
【図３】図１に示す監視装置の一部透視右側面図である。
【図４】図１に示す監視装置の回路図である。
【図５】本発明に係る携帯報知器の実施形態を示す一部透視平面図である。
【図６】図５に示す携帯報知器の回路図である。
【図７】本発明に係る点滴液残量監視装置と点滴チューブ保持具を点滴スタンドに取付けた状態を示す全体側面図である。
【図８】図７に示す点滴チューブ保持具において、（ａ）はその平面図、（ｂ）はその縦平面図である。
【符号の説明】
１        点滴液残量監視装置
１０      装置本体
１１      収納箱
１１ａ    透孔
１２      水平支軸
１３      天秤杆
１３ａ    フック部
１３ｂ    重錘載置部
１３ｃ    当具
１４      検出スイッチ
１５      発音器
１６      発光灯
１７      電波発信器
１７ａ    送信アンテナ
１８      重錘
１９      メインスイッチ
１９ａ    音スイッチ
１９ｂ    灯火スイッチ
１９ｃ    遠隔用スイッチ
２０      蓋
２１      蝶番軸
２２      点滅回路
２３      電池
３０      携帯報知器
３１      携帯ボックス
３２      振動器
３３      主スイッチ
３４      バッテリー
３５      受信器
４０      把持具
４１      ネジ棒
４２      支持部
５０      点滴チューブ保持具
５１      挟持クリップ
５２      Ｅクリップ
５２ａ    掛止片
Ｂ        点滴バッグ
Ｋ        点滴監視筒
Ｎ        挿入針
Ｓ        点滴スタンド
Ｔ        点滴チューブ
Ｙ        輸液セット
【図１】
2004350857.tif 000003
【図２】
2004350857.tif 000004
【図３】
2004350857.tif 000005
【図４】
2004350857.tif 000006
【図５】
2004350857.tif 000007
【図６】
2004350857.tif 000008
【図７】
2004350857.tif 000009
【図８】
2004350857.tif 000010